(57)【要約】      （修正有）【課題】内部の空間を有効に活用するとともに、内容物を押しつぶさないで内容物の損傷を防ぐことができる筒状包装容器の提供。【解決手段】一端開放の一対の筒状容器を開口部を向かい合わせて連結する筒状包装容器であって、蓋筒１の側壁は外筒１ａ及びこの外筒１ａの開口部より退行した内筒１ｂを備え、本体筒２の側壁は外筒１ａ及びこの外筒２ａの開口部より延び出し蓋筒１の外筒１ａ内に嵌まり蓋筒１の内筒１ｂと対向する内筒２ｂを備え、蓋筒１の外筒１ａの内周面に嵌まり、一対の筒状容器を連結した状態で対向する内筒１ｂ、２ｂ間に挟まれ、一対の筒状容器内の空間を仕切る仕切部材３を有する。【選択図】図１
0003116865.tif 000002
【実用新案登録請求の範囲】
【請求項１】
一端開放の一対の筒状容器を開口部を向かい合わせて連結する筒状包装容器であって、一方の筒状容器の内周面に設けられ他方の筒状容器の開口縁を支持する支持部、及び、前記一方の筒状容器の内周面に嵌まり、前記一対の筒状容器を連結した状態で前記一方の筒状容器の支持部と前記他方の筒状容器の開口縁との間で挟まれ、前記一対の筒状容器内の空間を仕切る仕切部材を有することを特徴とする筒状包装容器。
【請求項２】
一端開放の一対の筒状容器を開口部を向かい合わせて連結する筒状包装容器であって、一方の筒状容器の側壁は外筒及びこの外筒の開口部より退行した内筒を備え、他方の筒状容器の側壁は外筒及びこの外筒の開口部より延び出し前記一方の筒状容器の外筒内に嵌まり前記一方の筒状容器の内筒と対向する内筒を備え、前記一方の筒状容器の外筒の内周面に嵌まり、前記一対の筒状容器を連結した状態で前記対向する内筒間に挟まれ、前記一対の筒状容器内の空間を仕切る仕切部材を有することを特徴とする筒状包装容器。
【請求項３】
前記一対の筒状容器の内筒の周方向形状は互いに略同形状であることを特徴とする請求項２に記載された筒状包装容器。
【請求項４】
前記一対の筒状容器の外筒の周方向形状は互いに略同形状であることを特徴とする請求項２又は３に記載された筒状包装容器。
【請求項５】
前記仕切部材は前記一方の筒状容器の開口部と略同形状であることを特徴とする請求項１から４のいずれか１項に記載された筒状包装容器。
【請求項６】
前記仕切部材に引出部が設けられることを特徴とする請求項５に記載された筒状包装容器。
【請求項７】
前記一対の筒状容器は円筒形状であることを特徴とする請求項１から６のいずれか１項に記載された筒状包装容器。
【請求項８】
前記一対の筒状容器のうち前記一方の筒状容器を蓋とすることを特徴とする請求項１から７のいずれか１項に記載された筒状包装容器。
【請求項９】
前記一方の筒状容器は紙製であることを特徴とする請求項１から８のいずれか１項に記載された筒状包装容器。
【請求項１０】
前記他方の筒状容器は紙製であることを特徴とする請求項１から９のいずれか１項に記載された筒状包装容器。
【請求項１１】
前記仕切部材は紙製であることを特徴とする請求項１から１０のいずれか１項に記載された筒状包装容器。
【請求項１２】
請求項１から１１のいずれか１項に記載の筒状包装容器を用いて最中の最中皮とアンコを別個に個別包装して収容する最中用包装容器であって、前記一方の筒状容器に最中皮を収容し、前記他方の筒状容器にアンコを収容することを特徴とする最中用包装容器。
【考案の詳細な説明】
【技術分野】
【０００１】
本考案は、一端開放の一対の筒状容器を開口部を向かい合わせて連結する筒状包装容器、特に最中用包装容器に関する。
【背景技術】
【０００２】
包装容器は、内部の空間を有効に利用し、内容物を衝撃などで損傷しないように安全に収容するとともに、デザイン性も要求され、筒状のような特殊なデザインのものは消費者に興味を引き起こすことができるため、各種業界で需要がある。
【考案の開示】
【考案が解決しようとする課題】
【０００３】
しかしながら、菓子用パッケージなど一般的な筒状包装容器としては、平箱と違って内部を別々に仕切ることが難しく、内容物には重力が加わるため蓋の方（上部）に空間ができ、包装容器内のスペースが無駄になることが多かった。
【０００４】
また、最近では、最中のように最中皮と中のアンコを別々に収容し、消費者が食す際に、最中皮の中にアンコを詰め、出来立てに近い状態で最中を提供するものがあり、このような用途に適応した包装容器が望まれる。しかし、最中皮は、パリパリ感が出るように、薄く脆いものであるため、ちょっとした衝撃によって、押しつぶされ、部分的又は全体的に損傷してしまうことがある。最中の中に入れるアンコと最中皮を同じ容器内に収容した場合では、アンコには重量感があるため、容器内でアンコが移動して最中皮を押しつぶしてしまう。筒状の容器の下側にアンコを収容し、上側に出来た空間に最中皮を収容することもできるが、容器を取り扱うときに、アンコが移動して最中皮を押しつぶしてしまうという問題がある。
【０００５】
そこで、本考案の目的としては、内部の空間が有効に活用されるとともに、内容物が押しつぶされない筒状包装容器を提供することである。
【課題を解決するための手段】
【０００６】
本考案は、上記課題を解決するために、以下の点を要旨とするものである。
（１）  一端開放の一対の筒状容器を開口部を向かい合わせて連結する筒状包装容器であって、一方の筒状容器の内周面に設けられ他方の筒状容器の開口縁を支持する支持部、及び前記一方の筒状容器の内周面に嵌まり、前記一対の筒状容器を連結した状態で前記一方の筒状容器の支持部と前記他方の筒状容器の開口縁との間で挟まれ、前記一対の筒状容器内の空間を仕切る仕切部材を有することを特徴とする筒状包装容器。
（２）  一端開放の一対の筒状容器を開口部を向かい合わせて連結する筒状包装容器であって、一方の筒状容器の側壁は外筒及びこの外筒の開口部より退行した内筒を備え、他方の筒状容器の側壁は外筒及びこの外筒の開口部より延び出し前記一方の筒状容器の外筒内に嵌まり前記一方の筒状容器の内筒と対向する内筒を備え、前記一方の筒状容器の外筒の内周面に嵌まり、前記一対の筒状容器を連結した状態で前記対向する内筒間に挟まれ、前記一対の筒状容器内の空間を仕切る仕切部材を有することを特徴とする筒状包装容器。
（３）  前記一対の筒状容器の内筒の周方向形状は互いに略同形状であることを特徴とする（２）に記載された筒状包装容器。
（４）  前記一対の筒状容器の外筒の周方向形状は互いに略同形状であることを特徴とする（２）又は（３）に記載された筒状包装容器。
（５）  前記仕切部材は前記一方の筒状容器の開口部と略同形状であることを特徴とする（１）から（４）のいずれかに記載された筒状包装容器。
（６）  前記仕切部材に引出部が設けられることを特徴とする（５）に記載された筒状包装容器。
（７）  前記一対の筒状容器は円筒形状であることを特徴とする（１）から（６）のいずれかに記載された筒状包装容器。
（８）  前記一対の筒状容器のうち前記一方の筒状容器を蓋とすることを特徴とする（１）から（７）のいずれかに記載された筒状包装容器。
（９）  前記一方の筒状容器は紙製であることを特徴とする（１）から（８）のいずれかに記載された筒状包装容器。
（１０）  前記他方の筒状容器は紙製であることを特徴とする（１）から（９）のいずれかに記載された筒状包装容器。
（１１）  前記仕切部材は紙製であることを特徴とする（１）から（１０）のいずれかに記載された筒状包装容器。
（１２）  （１）から（１２）のいずれかに記載の筒状包装容器を用いて最中の最中皮とアンコを別個に個別包装して収容する最中用包装容器であって、前記一方の筒状容器に最中皮を収容し、前記他方の筒状容器にアンコを収容することを特徴とする最中用包装容器。
【考案の効果】
【０００７】
本考案の筒状包装容器によれば、内部の空間が有効に活用されるとともに、内容物が押しつぶされないで内容物の損傷を防ぐことができる。
【考案を実施するための最良の形態】
【０００８】
以下、本考案の実施の形態について図面を参照して説明する。なお、本実施の形態における例示が本考案を限定することはない。
【０００９】
図１は、本考案に係る筒状包装容器１０の一実施の形態の分解斜視図である。
【００１０】
図１において、筒状包装容器１０は、一方の筒状容器としての蓋筒１、他方の筒状容器としての本体筒２、及び蓋筒１と本体筒２の間の仕切部材３を有し、蓋筒１と本体筒２が連結した状態で外観形状が円筒状であり、図２の断面図に示すように、仕切部材３が連結部で支持され容器内を２つの空間に仕切る。
【００１１】
蓋筒１は、外筒１ａ及びこの外筒１ａの内周面に沿う内筒１ｂを備える外壁部と、外壁部の一端側を閉じる円板形状の上面部１ｃとを有し、内筒１ｂは外筒１ａの丈よりも短くギャップＸを設けて外筒１ａの開口部から内側に退行している。
【００１２】
本体筒２は、蓋筒１の外筒１ｂと略同じ外周形状の外筒２ａ及びこの外筒２ａの内周面に沿い蓋筒１の内筒１ｂと略同じ外周形状の内筒２ｂを備える外壁部と、外壁部の一端側を閉じ蓋筒１の上面部１ｃと略同形状である円板形状の底面部２ｃとを有し、内筒２ｂは外筒２ａよりも丈が長く、ギャップＹを設けて外筒２ａの開口部から外側に延び出ている。
【００１３】
本体筒２の内筒２ｂは蓋筒１の外筒１ａの内周面に嵌まり、本体筒２の内筒２ｂを蓋筒１の外筒１ａに挿入することで、蓋筒１と本体筒２が連結される。蓋筒１と本体筒２の開口部のギャップＸ、ＹはＸ＝Ｙ又はＸがＹよりわずかに長く、蓋筒１と本体筒２が連結された状態で、蓋筒１と本体筒２の外筒１ａ、２ａは対向して接し、内筒１ｂ、２ｂは対向して接し又は近接する。そして、蓋筒１と本体筒２の内筒１ｂ、２ｂの間に仕切部材３が挟まれ支持される。
【００１４】
仕切部材３は、厚紙のような剛性部材で形成されており、蓋筒１の外筒１ａの内周面と略同じ円周であって、蓋筒１の内筒１ｂよりも大きい円周の円板形状であり、蓋筒１の外筒１ａの内周部に嵌まり、かつ、仕切部材３が奥側にいかないように内筒１ｂの縁部で制止される。そして、仕切部材３を蓋筒１側に嵌め、蓋筒１と本体筒２を連結すると、仕切部材３は、蓋筒１と本体筒２の内筒１ｂ、２ｂに挟まれ支持される。内筒１ｂ、２ｂは接しているか、又は近接しているため、仕切部材３は内筒１ｂ、２ｂに挟まれた状態で移動が制限される。このように、蓋筒１側の空間と本体筒２側の空間とを確保することができる。
【００１５】
また、仕切部材３には、円周部の縁側に引出部としての切欠部３ａが設けられ、切欠部３ａに指を引っ掛かるようにして仕切部材３を手前側に引き出すことができ、仕切部材３が蓋筒１に嵌まった状態からでも取り出しやすくなっている。不図示であるが、切欠部に代わり仕切部材の外周部の縁部に延出部を設け、この延出部を手前にして仕切部材を蓋筒に嵌めておけば、延出部を引っ張ることで仕切部材を取り出しやすくなる。
【００１６】
本実施の形態によれば、内部の空間が有効に活用されるとともに、筒状包装容内に複数の内容物を上下にして収容することができ、さらに内容物が押し合って損傷することを防止することができる。従来、上下段に重さが異なるものを収容すると、内容物が損傷しやすかったが、本考案では、仕切部材を設けたため、内容物同士が押しあうことでの損傷を防ぐことができる。
【００１７】
また、筒状包装容器が円筒形状であり、この円筒形状の特長を生かして仕切部材が円板形状であるため、仕切部材は外周形状が円ならではの摩擦力で蓋筒内に収められ、筒状包装容器をコストを抑え簡単な取り扱い方法で提供することができる。
【００１８】
また、仕切部材が蓋筒に嵌まり合うことより、本体筒を蓋筒から外すときに、仕切部材が蓋筒の蓋代わりになり、蓋筒内の内容物がこぼれ落ちることを防止することができる。仕切部材がないと、蓋部材を深めに構成すると、蓋部材を取り外すときに、蓋部材側にある内容物がこぼれやすくなる。
【００１９】
また、蓋筒の内筒が奥側端面で上面側に接することによって、内筒は押し込み方向の力に対して耐えることができ、また、蓋筒の内筒が外筒に広い面で接着されることによって、より強固な構造にすることができる。
【００２０】
また、本体筒と蓋筒を取り外すと、それぞれをお皿のようにして、内容物を収容した状態で使用することができる。
【００２１】
ここで、仕切部材としては、蓋部材の外筒に嵌まり、蓋部材の内筒に引っ掛かり、空間を仕切る形状であればよく、上記した実施の形態のほか、一部を切り欠いた形状や網状にしてデザイン性を高めるとともに、蓋部材内の収容物を確認できるようにしてもよい。また、仕切部材を透明な材料としてもよい。
【００２２】
筒状包装容器の形状としては、上記した円筒状のほか、三角柱、角柱など適宜変更することができる。また、筒状包装容器の取扱方法としては、一対の筒状容器の構成を上下反転させることもできるし、一対の筒状容器を左右方向に並べて取り扱うこともできる。
【００２３】
筒状包装容器の材質としては、紙、樹脂、木、金属、陶器など適宜変更することができるが、好ましくは紙製である。
【００２４】
図３は、筒状包装容器１０を、最中皮４とアンコ５を別々に個別包装した最中用包装容器として使用した状態の透視斜視図である。軽くて欠けやすい最中皮４を上側の蓋筒１内に収容し、重みのあるアンコ５を筒状の下側の本体筒２内に収容し、蓋筒１と本体筒２の空間が仕切部材３で仕切られている。また、蓋筒１と本体筒２の連結部がシール６によって留められ、取扱時に勝手に開放されないようになっている。この仕切部材３は、連結部で支持されているため、取扱時などにアンコ５の重みなどが加わっても、最中皮側へ移動しないようになっており、最中皮が押しつぶされることを防ぐことができる。また、蓋筒１側に最中皮４を収容する場合、最中皮４は軽量のため、蓋筒１を本体筒２から外すときに仕切部材３が勝手に外れることがない。また、図３の例のように、複数の最中を作成するために、アンコ５を一つにまとめて袋に包装し、最中皮４を複数用意して例えば２袋に分けて包装した場合では、アンコ５の重量がより多くなる。このような場合では、最中皮４を別個に収容すれば、最中皮４の損傷を防ぐとともに、蓋筒１を容器のようにして最中皮４を蓋筒１から１個分ずつ取り出して取り扱うことができる。
【００２５】
このように、本実施の形態の最中用包装容器は、最中皮とアンコのセットを同じ包装容器に別々に収容するため、販売や使用時に取扱が便利である。なお、本実施の形態は、複数の内容物をセットにして収容するその他の用途にも適宜適用することができ、また、同種の内容物であっても適用することができる。例えば、最中の他、パイ皮とクリームなどの内容物を別々に包装するものや、ケーキのように重ねにくいものにも適用することができる。
【００２６】
本考案の他の実施の形態として、図４の断面図に示すように、蓋筒１の構成を上記と同様にし、本体筒２を一重の筒形状にし、本体筒２が蓋筒１に連結されると蓋筒１の外筒１ａ内に嵌まり内筒１ｂと対向するようにし、本体筒２の開口縁と蓋筒１の内筒１ｂとで仕切部材３を挟むように支持することもできる。
【００２７】
また、図５の断面図に示すように、蓋筒１及び本体筒２を一重の筒形状にし、蓋筒１の内周面の開口部近傍に内周面を一周する厚紙などで作成した支持片１ｄを設け、本体筒２が蓋筒１に連結されると蓋筒１内に嵌まり蓋筒１の支持片１ｄと対向するようにし、本体筒２の開口縁と蓋筒１の支持片１ｄとで仕切部材３を挟むように支持することもできる。なお、支持片は蓋筒の内周面の略同高さ位置に複数箇所設けるようにしてもよい。
【図面の簡単な説明】
【００２８】
【図１】図１は、本考案に係る実施の形態の筒状包装容器の分解斜視図である。
【図２】図２は、本考案に係る実施の形態の筒状包装容器の断面図である。
【図３】図３は、本考案に係る実施の形態の筒状包装容器の透視斜視図である。
【図４】図４は、本考案に係る他の実施の形態の筒状包装容器の断面図である。
【図５】図５は、本考案に係る他の実施の形態の筒状包装容器の断面図である。
【符号の説明】
【００２９】
１  蓋筒
１ａ  外筒
１ｂ  内筒
１ｃ  上面部
１ｄ  支持片
２  本体筒
２ａ  外筒
２ｂ  内筒
２ｃ  底面部
３  仕切部材
３ａ  切欠部
１０  筒状包装容器
【図１】
0003116865.tif 000003
【図２】
0003116865.tif 000004
【図３】
0003116865.tif 000005
【図４】
0003116865.tif 000006
【図５】
0003116865.tif 000007